(57)【要約】【課題】輝度ムラを効果的に抑制することができるとともに、点灯エリアと不点灯エリアとの間でのコントラスト比をより一層向上させることができる発光装置を提供する。【解決手段】複数の光源１１が配置された基板１２と、光源１１のそれぞれを取り囲み、頂部１３ａと傾斜面１３ｂとを備える壁部１３Ａを有し、壁部１３Ａで囲まれた領域を一つの区分Ｃとし、区分Ｃを複数備えた区分部材１３と、光源１１の上方に配置され、基板１２と対向する面上であって、平面視において傾斜面１３ｂと重なる領域に、光源１１を包囲する第１凸部１４ａを有する拡散板１４とを備える発光装置。【選択図】図１Ａ
2020087926.tif 000002
【特許請求の範囲】
【請求項１】
複数の光源が配置された基板と、
前記光源のそれぞれを取り囲み、頂部と傾斜面とを備える壁部を有し、前記壁部で囲まれた領域を一つの区分とし、前記区分を複数備えた区分部材と、
前記光源の上方に配置され、前記基板と対向する面上であって、平面視において前記傾斜面と重なる領域に、前記光源を包囲する第１凸部を有する拡散板とを備える発光装置。
【請求項２】
前記第１凸部は、前記拡散板の最も薄い厚みの１０％〜３０％の厚みを有する請求項１に記載の発光装置。
【請求項３】
前記第１凸部は、前記第１凸部の中心線に沿って左右対称の断面形状を有する請求項１又は２に記載の発光装置。
【請求項４】
前記一つの区分は、平面視四角形であり、前記第１凸部は、前記一つの区分内において平面視四角形の環状である請求項１〜３のいずれか１項に記載の発光装置。
【請求項５】
前記傾斜面は、上下方向に傾斜角が異なる上部傾斜面と下部傾斜面とを有し、平面視において前記第１凸部は、前記上部傾斜面と重なる領域に有する請求項１〜４のいずれか１項に記載の発光装置。
【請求項６】
前記拡散板は、さらに、前記基板と対向する面上であって、平面視において前記光源と重なる領域に、第２凸部を有する請求項１〜５のいずれか１項に記載の発光装置。
【請求項７】
前記第２凸部は、前記拡散板の最も薄い厚みの４００％〜６００％の厚みを有する請求項６に記載の発光装置。
【請求項８】
前記第２凸部は、前記光源の中心の直上において、最厚膜である請求項６又は７に記載の発光装置。
【請求項９】
前記第２凸部は、前記最厚膜を通る断面形状が、左右対称である請求項８に記載の発光装置。
【請求項１０】
前記第２凸部は、平面視の外形が円形である請求項６〜９のいずれか１つに記載の発光装置。
【発明の詳細な説明】
【技術分野】
【０００１】
本開示は、発光装置に関する。
【背景技術】
【０００２】
液晶テレビ等に用いられる直下方式のバックライトとして、面発光装置が知られている。例えば、面発光装置の一例として、引用文献１に記載の発光装置は、複数の光源をマトリックス状に配置されており、複数の光源の上方に、曲面状に突出する凸部が一体的に形成された拡散板とを有している。これにより、面発光装置の表示面側から見た場合、輝度ムラの発生を抑制することを可能としている。
【先行技術文献】
【特許文献】
【０００３】
【特許文献１】特開２０１２−２２１７７９号公報
【発明の概要】
【発明が解決しようとする課題】
【０００４】
しかし、このような発光装置で光源をローカルディミングした場合、点灯エリアの光源から出射されて拡散板等で散乱及び導光した光が、点灯エリアに隣接する不点灯エリアに入射して、不点灯エリアと点灯エリアのコントラスト比が低下させることがある。また、面発光装置の表示面側から見た場合、未だ輝度ムラを十分に解消することができず、さらに均一な面発光が得られる対策が求められている。
本開示は、上記課題に鑑みなされたものであり、輝度ムラを効果的に抑制することができるとともに、点灯エリアと不点灯エリアとの間でのコントラスト比をより一層向上させることができる発光装置を提供する。
【課題を解決するための手段】
【０００５】
本願は、以下の発明を含む。
複数の光源が配置された基板と、
前記光源のそれぞれを取り囲み、頂部と傾斜面とを備える壁部を有し、前記壁部で囲まれた領域を一つの区分とし、前記区分を複数備えた区分部材と、
前記光源の上方に配置され、前記基板と対向する面上であって、平面視において前記傾斜面と重なる領域に、前記光源を包囲する第１凸部を有する拡散板とを備える発光装置。
【発明の効果】
【０００６】
本発明の一実施の形態の発光装置によれば、輝度ムラを効果的に抑制することができるとともに、点灯エリアと不点灯エリアとの間でのコントラスト比をより一層向上させることができる。
【図面の簡単な説明】
【０００７】
【図１Ａ】本発明の一実施形態の発光装置の概略断面図である。
【図１Ｂ】図１Ａの発光装置の概略平面図である。
【図１Ｃ】図１Ａの発光装置の発光素子周辺の部分拡大概略断面図である。
【図１Ｄ】図１Ａの発光装置の一区分における拡散板と区分部材との位置関係を説明するための概略平面図である。
【図１Ｅ】図１Ａの発光装置の区分部材付近の部分拡大概略断面図である。
【図２Ａ】本発明の他の実施形態の発光装置の概略断面図である。
【図２Ｂ】本発明のさらに別の実施形態の発光装置の概略断面図である。
【図２Ｃ】図２Ａ及び２Ｃ発光装置の一区分における拡散板と区分部材との位置関係を説明するための概略平面図である。
【図２Ｄ】図２Ａの発光装置における拡散板の部分拡大概略断面図である。
【図３Ａ】本発明のさらに別の実施形態の発光装置の概略断面図である。
【図３Ｂ】本発明のさらに別の実施形態の発光装置の概略断面図である。
【図４】図１Ａの発光装置の別の区分部材付近の部分拡大概略断面図である。
【発明を実施するための形態】
【０００８】
以下、本開示の実施の形態について適宜図面を参照して説明する。ただし、以下に説明する実施の形態は、本開示の技術思想を具体化するためのものであって、特定的な記載がない限り、本開示を以下のものに限定しない。また、一の実施の形態、実施例において説明する内容は、他の実施の形態、実施例にも適用可能である。各図面が示す部材の大きさや位置関係等は、説明を明確にするため、誇張していることがある。
本実施形態においては、光源の光取り出し面を上面、光取り出し面側を上方ということがある。
【０００９】
本発明の一実施形態に係る発光装置は、図１Ａ及びＢに示すように、複数の光源１１と、基板１２と、区分部材１３と、拡散板１４とを備える。複数の光源１１は基板１２上に配置されている。区分部材１３は、光源１１のそれぞれを取り囲み、頂部１３ａと傾斜面１３ｂを備える壁部１３Ａを有する。頂部１３ａを備える壁部１３Ａで囲まれた範囲（つまり、領域及び空間）は、１つの区分Ｃとして規定され、区分部材１３は、区分Ｃを複数備える。拡散板１４は、光源１１の上方に配置され、基板１２と対向する面上であって、平面視において傾斜面１３ｂと重なる領域Ｍに、光源１１を包囲する第１凸部１４ａを有する。この発光装置は、面発光型の発光装置として機能する。
このように、光源１１から出射され、区分部材１３の傾斜面１３ｂに照射されて反射した光が集中する拡散板１４における領域、つまり、平面視、傾斜面と重なる領域Ｍにおいて、第１凸部を配置することによって、集中する光を効果的に分散させることができる。これによって、発光装置を光取り出し面側から見た場合、効果的に輝度ムラを抑制することができる。また、区分部材１３を適所に配置することによって、特定の光源１１から出射された光が隣接する領域に侵入することを防止することができる。これによって、光の隣接する領域への侵入を有効に阻止又は低減することができる。その結果、隣接する領域が不点灯領域である場合において、コントラスト比をより一層向上させることができる。
【００１０】
（光源１１）
光源１１は、光を発する部材であり、例えば、自ら光を発する発光素子そのもの、発光素子を透光性樹脂等で封止したもの、発光素子がパッケージングされた表面実装型の発光装置（ＬＥＤともいう）等を包含する。
例えば、光源１１としては、図１Ｃに示すように、発光素子１５を、封止部材２１で被覆したものが挙げられる。光源は１つの発光素子１５を用いたものであってもよいが、複数個の発光素子を用いて１つの光源としたものでもよい。
光源１１は、どのような配光特性を有するものであってもよいが、後述する区分部材１３の壁部１３Ａで囲まれた各区分Ｃにおいて輝度ムラを少なく光らせるために、広配光であることが好ましい。特に、光源１１のそれぞれがバットウイング配光特性を有していることが好ましい。これにより光源１１の真上方向に出射される光量を抑制して、各々の光源の配光を広げ、広げた光を壁部１３Ａ及び底面１３ｃに照射することによって、壁部１３Ａで囲まれた各区分Ｃにおける輝度ムラを抑制することができる。
ここでバットウイング配光特性とは、光軸Ｌを０°として、０°よりも配光角の絶対値が大きい角度において０°よりも発光強度が強い発光強度分布を有するものと定義される。なお、光軸Ｌとは、図１Ｃに示すように、光源１１の中心を通り、後述する基板１２の平面上の線と垂直に交わる線で定義される。
特に、バットウイング配光特性を有する光源１１としては、例えば、図１Ｃに示すように、上面に光反射膜２０を有する発光素子１５を用いたものが挙げられる。これにより、発光素子１５の上方向への光は光反射膜２０で反射され、発光素子１５の直上の光量が抑制され、バットウイング配光特性を得ることができる。光反射膜２０は、発光素子１５に直接形成することができるため、バットウイング配光とするための特別なレンズを別途組み合わせる必要がなく、光源１１の厚みを薄くすることが可能である。
【００１１】
発光素子１５の上面に形成される光反射膜２０は、銀、銅等の金属膜、誘電体多層膜（ＤＢＲ膜）、これらの組み合わせ等のいずれでもよい。光反射膜２０は、発光素子１５の発光波長に対して、入射角に対する反射率角度依存性を有していることが好ましい。具体的には、光反射膜２０の反射率は、垂直入射よりも斜め入射の方が低くなるように設定することが好ましい。これにより、発光素子直上における輝度の変化が緩やかになり、発光素子直上が暗点になる等、極端に暗くなることを抑制することができる。
光源１１は、例えば、基板に直接実装された発光素子１５の高さが、１００μｍ〜５００μｍのものが挙げられる。光反射膜２０の厚みは０．１μｍ〜３．０μｍのものが挙げられる。後述する封止部材２１を含めても、光源１１の厚みは０．５ｍｍ〜２．０ｍｍ程度とすることができる。
複数の光源１１は、互いに独立して駆動可能であり、光源ごとの調光制御（例えば、ローカルディミング又はＨＤＲ）が可能となるように、後述する基板１２上に搭載されていることが好ましい。
【００１２】
（発光素子１５）
発光素子１５としては、公知のものを利用することができる。例えば、発光素子として発光ダイオードを用いるのが好ましい。発光素子は、任意の波長のものを選択することができる。例えば、青色、緑色の発光素子としては、窒化物系半導体を用いたものを用いることができる。また、赤色の発光素子としては、ＧａＡｌＡｓ、ＡｌＩｎＧａＰなどを用いることができる。さらに、これ以外の材料からなる半導体発光素子を用いてもよい。用いる発光素子の組成及び発光色、大きさ、個数等は目的に応じて適宜選択することができる。
発光素子１５は、図１Ｃに示すように、基板１２の上面に設けられた正負一対の導体配線１８Ａ、１８Ｂに跨るように、接合部材１９を介してフリップチップ実装されたものが挙げられる。ただし、発光素子１５はフリップチップ実装のみならず、フェイスアップ実装されたものでもよい。接合部材１９は、発光素子１５を基板または導体配線に固定するための部材であり、絶縁性の樹脂又は導電性の部材等が挙げられる。発光素子１５が基板上にフリップチップ実装される場合は、導電性の部材が用いられる。具体的にはＡｕ含有合金、Ａｇ含有合金、Ｐｄ含有合金、Ｉｎ含有合金、Ｐｂ−Ｐｄ含有合金、Ａｕ−Ｇａ含有合金、Ａｕ−Ｓｎ含有合金、Ｓｎ含有合金、Ｓｎ−Ｃｕ含有合金、Ｓｎ−Ｃｕ−Ａｇ含有合金、Ａｕ−Ｇｅ含有合金、Ａｕ−Ｓｉ含有合金、Ａｌ含有合金、Ｃｕ−Ｉｎ含有合金、金属とフラックスの混合物等が挙げられる。
【００１３】
（封止部材２１）
封止部材２１は、発光素子を外部環境から保護するとともに、発光素子から出力される光を光学的に制御する等の目的で、発光素子を被覆する。封止部材２１は透光性の材料で形成されている。その材料としては、エポキシ樹脂、シリコーン樹脂又はそれらを混合した樹脂等の透光性樹脂、ガラス等を用いることができる。これらのうち、耐光性及び成形のしやすさを考慮して、シリコーン樹脂を用いることが好ましい。封止部材２１には、発光素子からの光を吸収して発光素子からの出力光とは異なる波長の光を発する蛍光体等の波長変換材料、発光素子からの光を拡散させるための拡散剤、発光素子の発光色に対応した着色剤等を含んでいてもよい。
蛍光体、拡散剤及び着色剤等は、当該分野で公知のものを使用することができる。
封止部材２１は、基板１２と直接接触していてもよい。
封止部材２１は、印刷、ディスペンサ塗布等が可能である粘度に調整され、加熱処理、光照射によって硬化させることができる。封止部材２１の形状としては、例えば、略半球形状、断面視において縦長（断面視において、Ｘ方向の長さよりもＺ方向の長さが長い形状）の凸形状、断面視において偏平な凸形状（断面視において、Ｚ方向の長さよりもＸ方向の長さが長い形状）、上面視において円形状又は楕円形状となるように形成されていてもよい。
封止部材２１は、発光素子１５の下面と基板１２の上面との間に、アンダーフィル２１ａとして配置されていてもよい。
【００１４】
（基板１２）
基板１２は、複数の光源１１を載置するための部材であり、図１Ｃに示されるように、その上面に、発光素子１５等の光源１１に電力を供給するための導体配線１８Ａ、１８Ｂを有する。導体配線１８Ａ、１８Ｂのうち、電気的な接続を行わない領域には被覆部材２８が被覆されていることが好ましい。
基板１２の材料としては、少なくとも一対の導体配線１８Ａ、１８Ｂを絶縁分離できるものであればよい。例えば、セラミックス、樹脂、複合材料等が挙げられる。セラミックスとしては、例えば、アルミナ、ムライト、フォルステライト、ガラスセラミックス、窒化物系（例えば、ＡｌＮ）、炭化物系（例えば、ＳｉＣ）、ＬＴＣＣ等が挙げられる。樹脂としては、フェノール樹脂、エポキシ樹脂、ポリイミド樹脂、ＢＴレジン、ポリフタルアミド（ＰＰＡ）、ポリエチレンテレフタレート（ＰＥＴ）等が挙げられる。複合材料としては、上述した樹脂に、ガラス繊維、ＳｉＯ2、ＴｉＯ2、Ａｌ2Ｏ3等の無機フィラーを混合したもの、ガラス繊維強化樹脂（ガラスエポキシ樹脂）、金属部材に絶縁層を形成した金属基板等が挙げられる。
基板１２の厚さは適宜選択することができ、ロール・ツー・ロール方式で製造可能なフレキシブル基板又はリジット基板のいずれであってもよい。リジット基板は湾曲可能な薄型リジット基板であってもよい。
導体配線１８Ａ、１８Ｂは、導電性部材であればどのような材料で形成されていてもよく、通常、回路基板等の配線層として使用されるものを用いることができる。導体配線の表面には、めっき膜、光反射膜等が形成されていてもよい。
被覆部材２８は、絶縁性の材料によって形成されていることが好ましい。材料は、基板材料として例示したものと同様のものが挙げられる。被覆部材は、上述した樹脂に白色系のフィラー等を含有させたものを用いることにより、光の漏れ又は吸収を防止して、発光装置の光取り出し効率を向上させることができる。
【００１５】
（区分部材１３）
区分部材１３は、図１Ａ、１Ｂ及び１Ｄ等に示すように、光源１１のそれぞれを取り囲み、頂部１３ａと傾斜面１３ｂとを備える壁部１３Ａを有する。頂部１３ａを含む壁部１３Ａで囲まれた範囲（領域及び空間）を一つの区分Ｃとして、区分部材１３は区分Ｃを複数有する部材である。なお、平面視においては、頂部１３ａは、隣接する区分Ｃの境界とみなすことができる。
区分部材１３は、区分Ｃ内において、底面１３ｃを有することが好ましい。言い換えると、区分部材１３は、底面１３ｃと壁部１３Ａとによって区分Ｃを構成している。底面１３ｃは、区分Ｃ内において、略中央に貫通孔１３ｄが配置されている。図１Ａ等に示すように、貫通孔１３ｄ内には、光源１１が配置されることが好ましい。貫通孔１３ｄの形状及び大きさは、光源１１の全部が露出される形状及び大きさであればよく、貫通孔１３ｄの外縁が、光源１１の近傍のみに位置するように設定することが好ましい。これによって、区分部材１３が反射性を有する場合に、光源からの光を底面１３ｃでも反射させることができ、光の取り出し効率を向上させることができる。
【００１６】
頂部１３ａは、壁部１３Ａの最も高い部位であり、隣接する領域を取り囲む少なくとも２つの壁部１３Ａによって構成されることが好ましい。頂部１３ａは、平面であってもよいが、隣接する領域を取り囲む少なくとも２つの壁部１３Ａによって構成される稜の形状であることが好ましい。つまり、図１Ａ等に示すように、頂部１３ａを構成する少なくとも２つの壁部１３Ａの縦断面が、鋭角三角形を構成するものが好ましく、鋭角二等辺三角形を構成するものがより好ましい。鋭角三角形又は鋭角二等辺三角形の鋭角、つまり、頂部の角度（図１Ｅ中、α）は、例えば、３０°以上９０°未満とすることが好ましい。このような範囲とすることにより、区分部材１３が占める空間及び領域を低減させ、区分部材１３の高さを低減することができ、発光装置の小型化及び薄型化を実現することができる。
区分部材１３の頂部１３ａ間のピッチＰは、用いる光源の大きさ、意図する発光装置の大きさ及び性能等によって適宜調整することができる。例えば、１ｍｍ〜５０ｍｍが挙げられ、５ｍｍ〜２０ｍｍが好ましく、６ｍｍ〜１５ｍｍがより好ましい。
【００１７】
光源１１を取り囲む壁部１３Ａの傾斜面１３ｂは、底面１３ｃ及び基板１２の上面近傍から上部に向かって広がるように傾斜した面によって構成されることが好ましい。壁部１３Ａの角度（図１Ｅ中、γ）は、例えば、４５°〜６０°が挙げられる。また、例えば、図４に示すように、傾斜面は、上下方向に傾斜角が異なる上部傾斜面１３ｂ１（Ｕ）と下部傾斜面１３ｂ２（Ｌ）とを有していてもよい。これらの傾斜面の角度は、上記の範囲で適宜設定することができる。例えば、上部傾斜面１３ｂ１の角度（図１Ｅ中、γに相等する角度）は、下部傾斜面１３ｂ２の角度よりも小さくてもよいが、図４に示すように、上部傾斜面１３ｂ１の角度が下部傾斜面１３ｂ２の角度よりも大きいことが好ましい。
区分部材１３自体の高さ、つまり、区分部材１３の底面１３ｃの下面から頂部１３ａまでの長さは、８ｍｍ以下、より薄型の発光装置とする場合は１ｍｍ〜４ｍｍ程度であることが好ましく、拡散板１４までの距離を８ｍｍ程度以下、より薄型の発光装置とする場合は２ｍｍ〜４ｍｍ程度とすることが好ましい。これにより、拡散板１４等の光学部材を含めたバックライトユニットを極めて薄型にすることができる。
区分部材１３の厚みは、一定でもよいし、部位によって変動していてもよいが、上側傾斜面を構成する区分部材１３が下側傾斜面を構成する区分部材１３より厚みが小さいことが好ましい。区分部材１３の厚みは、例えば、１００μｍ〜３００μｍが挙げられる。
【００１８】
区分部材１３が光源１１を取り囲んで構成する区分Ｃの形状、つまり、壁部１３Ａによって区分される領域の形状は、平面視において、例えば、円形、楕円形等であってもよいが、複数の光源を効率的に配置させるために、三角形、四角形、六角形等の多角形が好ましい。これにより、面発光装置の発光面の面積に応じて発光エリアを壁部１３Ａで任意の数に区分することが容易になり、発光エリアを高密度に配置することができる。壁部１３Ａによって区分される区分Ｃの数は、任意に設定することができ、発光装置の所望のサイズに応じて壁部１３Ａの形状及び配置、区分Ｃ数等を変更することができる。
区分部材１３は、基板１２上に配置された光源１１の数及び位置によって、平面視、例えば、３つの区分Ｃが隣接して３つの頂部の端が１点に集中するもの、図１Ｂに示すように４つの区分Ｃが隣接して４つの頂部が集中するもの、６つの区分Ｃが隣接して６つの頂部が１点に集中するものなど、種々の形状とすることができる。
【００１９】
区分部材１３は、基板１２の上に配置されることが好ましく、区分部材１３の底面１３ｃの下面と基板１２の上面とが固定されるものが好ましい。特に、光源１１からの出射光が、基板１２と区分部材１３との間に入射しないように、貫通孔１３ｄの周囲を、光反射性の接着部材を用いて固定することが好ましい。例えば、貫通孔１３ｄの外縁に沿ってリング状に光反射性の接着部材を配置することがより好ましい。接着部材は、両面テープであってもよいし、ホットメルト型の接着シートであってもよいし、熱硬化樹脂及び熱可塑樹脂等の樹脂系の接着剤であってもよい。これらの接着部材は、高い難燃性を有することが好ましい。ただし、区分部材１３の基板１２上への固定は、ネジ止め等を利用してもよい。
【００２０】
区分部材１３は反射性を有する部材であることが好ましい。これにより、光源１１から出射される光を壁部１３Ａ及び底面１３ｃによって効率よく反射させることができる。特に、壁部１３Ａが上述したように傾斜を有する場合には、光源１１から出射された光が壁部１３Ａに照射され、上方向に光を反射させることができる。よって、隣接する区分Ｃが不点灯である場合においても、コントラスト比をより一層向上させることができる。また、上方向への光の反射をより効率的に行うことができる。
区分部材１３は、酸化チタン、酸化アルミニウム、酸化ケイ素等の金属酸化物粒子からなる反射材を含有する樹脂等を用いて成形してもよいし、反射材を含有しない樹脂を用いて成形した後、表面に反射材を設けてもよい。光源１１からの出射光に対する反射率が７０％以上となるように設定されることが好ましい。
【００２１】
区分部材１３は、金型を用いた成形、光造形による成形方法等によって形成することができる。金型を用いた成形方法としては、射出成形、押出成形、圧縮成形、真空成形、圧空成形、プレス成形等の成形方法を適用することができる。例えば、ＰＥＴ等で形成された反射シートを用いて真空成形することにより、底面１３ｃと壁部１３Ａとが一体的に形成された区分部材１３を形成することができる。
区分部材１３は、行方向、列方向又はマトリクス状に複数の区分Ｃを配列する。例えば、図１Ｂに示すように、光源１１がＸ方向に５つ、Ｙ方向に５つ、マトリクス状に合計２５個配置された基板の上に、壁部１３Ａによって各光源１１を取り囲んで、上面視が略正方形の２５の区分Ｃを規定しており、区分Ｃの略中央の底面１３ｃに、光源１１載置用の貫通孔１３ｄを有するものとすることができる。
【００２２】
（拡散板１４）
拡散板１４は、入射する光を拡散させて透過させる部材であり、複数の光源１１の上方に１つ配置することが好ましい。拡散板１４は、基板１２と対向する面上であって、平面視において傾斜面１３ｂと重なる領域Ｍに、光源１１を包囲する第１凸部１４ａを有する。上述したように、傾斜面１３ｂが上部傾斜面と下部傾斜面とを有する場合、平面視において、第１凸部は、上部傾斜面と重なる領域に有することが好ましい。言い換えると、第１凸部は、平面視において傾斜面１３ｂと重なる領域Ｍのうち、中央部分に配置されてもよいが、頂部１３ａに近いほうに偏在していることが好ましい。本願明細書において、包囲するとは、光源１１を連続して完全に取り囲むものであってもよいし、複数に分断されて光源１１を取り囲むものであってもよい。
【００２３】
第１凸部１４ａは、区分Ｃの形状、つまり、壁部１３Ａによって区分される領域の形状が、平面視において、例えば、三角形、四角形、六角形等の多角形である場合には、それに沿った形状を構成することが好ましい。例えば、図１Ｂに示すように、平面視において、１つの区画を構成する壁部１３Ａが、光源１１を取り囲むように四角形に配置している場合、第１凸部１４ａは、連続的又は分断して、四角形の環状に配置するものが挙げられる。
第１凸部１４ａの高さ（厚み、図１Ｅ中、Ｔ）は、一つの区画を構成する拡散板の最も薄い部分の厚み（例えば、図１Ｅ中、ｔ）の５％〜３０％とすることができ、９％〜２０％が好ましい。第１凸部１４ａの幅（図１Ｅ、中のＷ）は、領域Ｍの幅の１０％〜９０％が挙げられ、２０％〜７０％が好ましい。例えば、拡散板１４の厚みは、区分内において、最も薄い部分の厚みｔが０．２ｍｍ〜５ｍｍ、好ましくは０．５ｍｍ〜２ｍｍ、第１凸部１４ａの高さＴは、０．０５ｍｍ〜２ｍｍ、好ましくは０．１ｍｍ〜０．６ｍｍであり、第１凸部１４ａの幅Ｗは、０．１ｍｍ〜１ｍｍが挙げられ、０．２ｍｍ〜０．７ｍｍが好ましい。
【００２４】
第１凸部１４ａは、ドーム状、陵状、柱状、錐台状等、種々の形状であってもよいが、例えば、第１凸部の中心線に沿って左右対称の断面形状を有するものが好ましく、図１Ｅ等に示すように、左右対称のドーム状を有するものがより好ましい。
【００２５】
拡散板１４は、実質的に基板１２に対して平行に配置されることが好ましい。例えば、拡散板１４の光取り出し面側の面は、凹凸を有していてもよいが、平坦であって、この面が実質的に基板１２に対して平行に配置されることがより好ましい。凹凸を有する場合、例えば、０．０１ｍｍ〜０．１ｍｍの凹凸とすることができる。凹凸によって入射した光を拡散させることができる。
【００２６】
拡散板１４は、例えば、ポリカーボネイト樹脂、ポリスチレン樹脂、アクリル樹脂、ポリエチレン樹脂等、可視光に対して光吸収の少ない材料から構成することができる。入射した光を拡散させるために、拡散板１４は、拡散板１４中に屈折率の異なる材料を分散させてもよい。
屈折率の異なる材料としては、例えば、ポリカーボネイト樹脂、アクリル樹脂等から選択して用いることができる。
拡散板１４の厚み、光拡散の程度は、適宜設定することができ、光拡散シート、ディフューザーフィルム等として市販されている部材を利用することができる。
【００２７】
例えば、図２Ａ〜２Ｄに示すように、拡散板３４、４４は、第１凸部３４ａ、４４ａに加えて、基板１２と対向する面上であって、平面視において光源１１と重なる領域に、第２凸部３４ｂ、４４ｂを有していてもよい。第２凸部３４ｂ、４４ｂの平面形状は、光源と重なる領域にのみ又はそれに対応する形状で配置されてもよいし、光源と重なる領域を中央に配置し、その領域に対応する相似形状とすることができる。第２凸部の平面形状としては、例えば、円形、多角形又は多角形の角に丸みをおびた形状等が挙げられる。また、第２凸部の平面視における外縁の位置は、例えば、光源と重なる領域の面積を１００％とした場合、１１０％以上での面積で光源を取り囲む位置とすることができる。第２凸部の外縁は、第１凸部とは離間することが好ましい。なかでも、第２凸部３４ｂ、４４ｂは、光源１１と重なる領域を中央に配置し、その領域に対応する相似形状であって、第１凸部とは、距離Ｄで離間するほど第１凸部に近接した部分を有する形状であることが好ましく、図２Ｃに示すように、その外縁が円形であることがより好ましい。例えば、第２凸部の平面視の大きさは、直径（図２Ｄ中、ＷＷ）がピッチＰの１０％〜８０％が挙げられ、３０％〜７０％が挙げられる。具体的には、０．３ｍｍ〜３５ｍｍが挙げられ、１．５ｍｍ〜１５ｍｍが好ましく、１．８ｍｍ〜１０ｍｍがより好ましい。距離Ｄは、例えば、０ｍｍ〜４ｍｍが挙げられ、１ｍｍ〜３ｍｍが好ましい。
【００２８】
第２凸部３４ｂ、４４ｂは、光源と重なる領域が最も肉厚となる形状であることが好ましく、光源の中心の直上において最も肉厚となる形状であることがより好ましい。例えば、碗状、錐状、錐台状、柱状等、種々の形状が挙げられるが、光源の中心又は略中心が最も肉厚となる錐状又は錐台状であることが好ましい。この場合、光源の中心又は略中心から、その外周に向かう面は、断面視において、基板側に凸の曲線であってもよいし、図２Ａに示すように光取り出し面側に凹んだ曲線（図２Ａ、２Ｄ中、３４ｂ）であってもよいし、図２Ｂに示すように直線（図２Ｂ中、４４ｂ）であってもよい。また、第２凸部は、最厚膜を通る断面形状が、左右対称である形状が好ましい。
第２凸部３４ｂ、４４ｂの最も厚い部分の拡散板の厚み（図２Ｄ中、ＴＴ）は、一つの区画を構成する拡散板の最も薄い部分の厚み（例えば、図１Ｅ及び図２Ｄ中、ｔ）の２００％〜６００％とすることができ、４００％〜６００％が好ましい。別の観点から、第２凸部３４の最も厚い部分の拡散板の厚みＴＴは、２ｍｍ〜５ｍｍが挙げられ、２ｍｍ〜３．５ｍｍが好ましい。
【００２９】
（その他の部材）
本実施形態の発光装置は、反射部材等を備えていてもよい。
（反射部材）
例えば、拡散板１４は、上面において、図３Ａに示すように、光源１１の上方に、好ましくは光源１１の直上に、それぞれ第１反射部２６が配置されていてもよい。第１反射部２６は、図３Ｂに示すように、拡散板１４の基板と対向する面に設けてもよい。光源１１の上方領域、特に直上領域では、拡散板１４と光源１１との距離が最も短くなる。よって、この領域での輝度が高くなる。拡散板１４と光源１１との距離が短いほど、光源１１が配置されていない領域の直上の領域との輝度ムラが顕著になる。従って、第１反射部２６を拡散板１４の表面に設けることにより、光源１１の指向性の高い光の一部を反射して、光源１１方向に戻すことによって輝度ムラを緩和することができる。
【００３０】
第１反射部２６は、光反射材を含む材料によって形成することができる。例えば、光反射材を含む樹脂及び／又は有機溶剤等が挙げられる。光反射材としては、例えば、酸化チタン、酸化アルミニウム、酸化ケイ素等の金属酸化物粒子が挙げられる。樹脂及び有機溶剤は、用いる金属酸化物粒子、製造された発光装置に求められる特性等を考慮して、適宜選択することができる。なかでも、樹脂としては、アクリレート樹脂、エポキシ樹脂等を主成分とした透光性であって光硬化性の樹脂を用いることが好ましい。
第１反射部２６は、それを構成する材料中に、さらに、顔料、光吸収材、蛍光体等を含有していてもよい。
第１反射部２６は、所定のストライプ状、島状等、種々の形状又はパターンとすることができる。第１反射部２６の形成方法は、例えば、印刷法、インクジェット法、スプレー法等、当該分野で公知の何れの方法でもよい。
第１反射部の厚みは、例えば、１０μｍ〜１００μｍが挙げられる。
【００３１】
発光装置は、拡散板の上方に、光源からの光を異なる波長の光に変換する波長変換シート、プリズムシート及び偏光シートからなる群から選択される少なくとも１種を備えていてもよい。具体的には、図３Ｂに示すように、拡散板１４の上方に、所定距離を隔てて又は拡散板１４の上面に、直接又は間接に、波長変換シート２２、プリズムシート（第１プリズムシート２３及び第２プリズムシート２４）、偏光シート２５等の光学部材を配置し、さらにその上に液晶パネルを配置し、直下型バックライト用光源として用いる面発光型の発光装置とすることができる。これらの光学部材の積層の順序は任意に設定することができる。
【００３２】
（波長変換シート２２）
波長変換シート２２は、拡散板１４の上面又は下面のいずれに配置してもよいが、図３Ｂに示すように、上面に配置することが好ましい。波長変換シート２２は、光源１１から出射する光の一部を吸収し、光源１１からの出射光の波長とは異なる波長の光を発する。例えば、波長変換シート２２は、光源１１からの青色光の一部を吸収して黄色光、緑色光及び／又は赤色光を発し、白色光を出射する発光装置とすることができる。波長変換シート２２は、光源１１の発光素子から離間しているため、発光素子の近傍では使用することが困難な、熱又は光強度に耐性の劣る蛍光体等を使用することができる。これにより、発光装置のバックライトとしての性能を向上させることが可能となる。波長変換シート２２は、シート形状あるいは層形状を有しており、上述した蛍光体等を含む。
【００３３】
（第１プリズムシート２３及び第２プリズムシート２４）
第１及び第２プリズムシート２３、２４はその表面に、所定の方向に延びる複数のプリズムが配列された形状を有する。例えば、第１プリズムシート２３は、シートの平面をｘ方向とｘ方向に直角のｙ方向との２次元に見て、ｙ方向に延びる複数のプリズムを有し、第２プリズムシート２４は、ｘ方向に延びる複数のプリズムを有することができる。プリズムシートは、種々の方向から入射する光を、発光装置に対向する表示パネルへ向かう方向に屈折させることができる。これにより、発光装置の発光面から出射する光を、主として上面に垂直な方向に出射させ、発光装置を正面から見た場合の輝度を高めることができる。
【００３４】
（偏光シート２５）
偏光シート２５は、例えば、表示パネル、例えば液晶表示パネルのバックライト側に配置された偏光板の偏光方向に一致する偏光方向の光を選択的に透過させ、その偏光方向に垂直な方向の偏光を第１及び第２プリズムシート２３、２４側へ反射させることができる。偏光シート２５から戻る偏光の一部は、第１及び第２プリズムシート２３、２４及び波長変換シート２２、拡散板１４で再度反射される。このとき、偏光方向が変化し、例えば、液晶表示パネルの偏光板の偏光方向を有する偏光に変換され、再び偏光シート２５に入射し、表示パネルへ出射する。これにより、発光装置から出射する光の偏光方向を揃え、表示パネルの輝度向上に有効な偏光方向の光を高効率で出射させることができる。偏光シート２５、第１及び第２プリズムシート２３、２４等は、バックライト用の光学部材として市販されているものを用いることができる。
【産業上の利用可能性】
【００３５】
本発明の発光装置は、表示装置のバックライト用光源、照明装置の光源など、各種発光装置に利用することができる。
【符号の説明】
【００３６】
１１      光源
１２      基板
１３      区分部材
１３ａ    頂部
１３ｂ    壁部
１３ｂ１    上部傾斜面
１３ｂ２    下部傾斜面
１３ｃ    底面
１３ｄ    貫通孔
１４、３４、４４      拡散板
１４ａ、３４ａ、４４ａ    第１凸部
３４ｂ、４４ｂ    第２凸部
１５      発光素子
１８Ａ、１８Ｂ    導体配線
１９      接合部材
２０      光反射膜
２１      封止部材
２１ａ    アンダーフィル
２２      波長変換シート
２３      第１プリズムシート
２４      第２プリズムシート
２５      偏光シート
２６      第１反射部
２８      被覆部材
【図１Ａ】
2020087926.tif 000003
【図１Ｂ】
2020087926.tif 000004
【図１Ｃ】
2020087926.tif 000005
【図１Ｄ】
2020087926.tif 000006
【図１Ｅ】
2020087926.tif 000007
【図２Ａ】
2020087926.tif 000008
【図２Ｂ】
2020087926.tif 000009
【図２Ｃ】
2020087926.tif 000010
【図２Ｄ】
2020087926.tif 000011
【図３Ａ】
2020087926.tif 000012
【図３Ｂ】
2020087926.tif 000013
【図４】
2020087926.tif 000014